(57)【特許請求の範囲】
【請求項１】
少なくとも座および背を有する椅子本体を備え、該椅子本体に対して着座又は離座する移乗位置に該椅子本体が移動可能とされている観覧用可動椅子であって、
該観覧用可動椅子は、
隣の椅子と並列に配置される使用位置と、隣の椅子から離れる方向に離隔した該移乗位置との間で該椅子本体を移動可能に支持する椅子本体移動支持手段と、
該使用位置における前向きの該椅子本体を該移乗位置において移乗用の向きに向けるために又は移乗用の向きから該前向きにするために、該椅子本体を所定鉛直軸線周りに回動可能に支持する椅子本体回動支持手段と、
リミットスイッチとを備え、
該椅子本体が該前向きであるときに該リミットスイッチがオン状態とされて該椅子本体移動支持手段が作動可能とされ該椅子本体を該使用位置と該移乗位置との間で移動させることができることを特徴とする観覧用可動椅子。
【請求項２】
前記椅子本体移動支持手段は、前記椅子本体を前記移乗位置と前記使用位置との間で自動的に水平移動および垂直移動させることを特徴とする、請求項１記載の観覧用可動椅子。
【請求項３】
前記椅子本体移動支持手段は、前記椅子本体を前記移乗位置と前記使用位置との間で水平移動させつつ垂直移動させる平行リンク機構を有することを特徴とする、請求項２記載の観覧用可動椅子。
【請求項４】
前記椅子本体移動支持手段は、複数本横並びに配置されて前記平行リンク機構を同時に駆動する油圧シリンダを有することを特徴とする、請求項３記載の観覧用可動椅子。
【請求項５】
前記椅子本体回動支持手段は、前記椅子本体の回動位置を前記前向きと前記移乗用向きとに対し選択的に、解除可能にロックする回動位置ロック手段を有することを特徴とする、請求項１ないし４のいずれか一項に記載の観覧用可動椅子。
【請求項６】
前記椅子本体は、その椅子本体を前記使用位置で前向きに位置する状態で前記隣の椅子に分離可能に連結する連結部材を具えることを特徴とする、請求項１ないし５のいずれか一項に記載の観覧用可動椅子。
【発明の詳細な説明】
【技術分野】
【０００１】
本発明は、劇場などで用いられる椅子に関し、特には車椅子との間での移乗が容易な可動椅子に関するものである。
【背景技術】
【０００２】
劇場や競技場などでは通常、椅子を多数横並びに固定した列が前後に多数設けてあり、それらの椅子の列の間を左右に延びる通路はさほど広くとられてない。このため、それらの椅子と車椅子との間での移乗のためにそれらの椅子の前側から車椅子を寄せることは実際上極めて困難である。
【０００３】
そこで従来は、特に、場内の最前部や最後部などに椅子を設けず車椅子がそのまま入れる車椅子用スペースを設け、車椅子の利用者がその車椅子用スペースで車椅子に座ったまま観覧できるようにしていた（例えば移動観覧席の最前部に設けられた車椅子用スペースについては非特許文献１参照）。
【非特許文献１】株式会社コトブキが２００１年６月１日に発行したカタログ「ロールバックシステムプロダクツ（Rollback System Products）」Ｎｏ．１７１中、第３９頁
【発明の開示】
【発明が解決しようとする課題】
【０００４】
しかしながら、上記従来の車椅子用スペースを設ける方法では、車椅子の利用者は車椅子に座ったままでの観覧を強いられるため、座り心地が必ずしも快適とはいえず、しかも着座中不安定になり易いという問題がある。また、車椅子の利用者がいない場合に、その車椅子用スペースには通常の椅子がないため、そのままでは通常の観客が利用できず、そのスペースにパイプ椅子などの仮設の椅子を配置しても、他の通常の椅子程には快適に観覧できないという問題もある。
【０００５】
それゆえ本発明は、車椅子との間で容易に移乗し得るとともに、車椅子から移乗した利用者が着座中他の通常の椅子と同様の快適な座り心地で、しかも安定して観覧でき、また車椅子の利用者がいない場合も、通常の観客が他の通常の椅子と同様に快適に利用できる可動椅子を提供することを目的としている。
【課題を解決するための手段】
【０００６】
本発明は、上記課題を有利に解決するためになされたものであり、本発明にかかる観覧用可動椅子は、少なくとも座および背を有する椅子本体を備え、該椅子本体に対して着座又は離座する移乗位置に該椅子本体が移動可能とされていて、該観覧用可動椅子は、隣の椅子と並列に配置される使用位置と、隣の椅子から離れる方向に離隔した該移乗位置との間で該椅子本体を移動可能に支持する椅子本体移動支持手段と、該使用位置における前向きの該椅子本体を該移乗位置において移乗用の向きに向けるために又は移乗用の向きから該前向きにするために、該椅子本体を所定鉛直軸線周りに回動可能に支持する椅子本体回動支持手段と、リミットスイッチとを備え、該椅子本体が該前向きであるときに該リミットスイッチがオン状態とされて該椅子本体移動支持手段が作動可能とされ該椅子本体を該使用位置と該移乗位置との間で移動させることができる。
【発明の効果】
【０００７】
かかる可動椅子にあっては、椅子の利用者が車椅子から移乗する際は、椅子本体移動支持手段が移動可能に支持する椅子本体を人手でまたは自動的に、隣の椅子から離隔した移乗位置に移動させて、回動時の隣の椅子との干渉を回避し、次いで椅子本体回動支持手段が回動可能に支持する椅子本体を人手でまたは自動的に、前向きから移乗用向きまで所定鉛直軸線周りに回動させて車椅子に向ける。そして車椅子から椅子本体に利用者が移乗したら、上記とは逆の手順で、椅子本体を隣の椅子と同じ方向へ向く前向きまで回動させ、次いでその椅子本体を隣の椅子に隣接した使用位置に移動させる。また、椅子の利用者が椅子本体から車椅子へ移乗する際は、上記と同様にして、椅子本体を移乗位置に移動させるとともに回動させて車椅子に向け、椅子本体から車椅子に利用者が移乗したら、椅子本体を隣の椅子と同じ方向へ向く前向きまで回動させ、次いでその椅子本体を隣の椅子に隣接した使用位置に移動させる。
【０００８】
従って、本発明の可動椅子によれば、車椅子との間での移乗時は椅子本体を車椅子に向けられるので、椅子の利用者が容易に移乗することができ、そして車椅子から移乗した利用者の着座中は、床に固定された椅子本体移動支持手段およびそこに設けられた椅子本体回動支持手段が椅子本体を強固に支持するので、少なくとも座および背を有する椅子本体で椅子の利用者に着座中他の通常の椅子と同様の快適な座り心地を提供し、しかもその椅子本体を安定させて、椅子の利用者に障害がある場合などでもその利用者を椅子本体で安全に保持することができ、また車椅子の利用者がいない通常時は、椅子本体が隣の椅子に隣接した使用位置に位置しているので、通常の観客が他の通常の椅子と同様に快適に利用することができる。
【０００９】
なお、本発明の可動椅子においては、前記椅子本体移動支持手段は、前記椅子本体を前記移乗位置と前記使用位置との間で自動的に水平移動および垂直移動させるものでも良い。このようにすれば、床が傾斜していたり階段状になっていたりして、椅子の後方の床が椅子の前方の床より高くなっている場合でも、その後方の床上から寄せた車椅子と椅子本体との高さを合わせ得て、椅子の利用者がその車椅子と椅子本体との間で容易に移乗することができる。
【００１０】
また、本発明の可動椅子においては、前記椅子本体移動支持手段は、前記椅子本体を前記移乗位置と前記使用位置との間で水平移動させつつ垂直移動させる平行リンク機構を有していても良い。このようにすれば、簡易な構成で容易に、椅子本体を移乗位置と使用位置との間で自動的に水平移動および垂直移動させることができる。
【００１１】
さらに本発明の可動椅子においては、前記椅子本体移動支持手段は、複数本横並びに配置されて前記平行リンク機構を同時に駆動する油圧シリンダを有していても良い。このようにすれば、平行リンク機構を駆動する油圧シリンダを、一本ずつについては細くし得るとともに、油圧シリンダに油圧を供給する電動ポンプなどの油圧源と分けて配置できるので、動力源となる油圧シリンダおよび油圧源を椅子本体の下の少ないスペースに容易に収納することができる。
【００１２】
さらに本発明の可動椅子においては、前記椅子本体回動支持手段は、前記椅子本体の回動位置を前記前向きと前記移乗用向きとに対し選択的に、解除可能にロックする回動位置ロック手段を有していても良い。このようにすれば、車椅子との間での移乗時は椅子本体を車椅子に向けてロックできるので、移乗をより容易にすることができ、また着座時は椅子本体を隣の椅子と同じ前方に向けてロックできるので、椅子本体をより安定させることができる。
【００１３】
さらに本発明の可動椅子においては、前記椅子本体は、その椅子本体を前記使用位置で前向きに位置する状態で前記隣の椅子に分離可能に連結する連結部材を具えていても良い。このようにすれば、椅子本体が使用位置で前向きに位置する際に、椅子本体を隣の椅子に連結できるので、椅子本体をより安定させることができる。
【発明を実施するための最良の形態】
【００１４】
以下、本発明の実施の形態を実施例によって、図面に基づき詳細に説明する。ここに、図１は、本発明の可動椅子の一実施例を椅子本体が使用位置で前向きとなった状態で隣の椅子とともに示す正面図、図２は、上記実施例の可動椅子を椅子本体が使用位置で前向きとなった状態で隣の椅子とともに示す平面図、図３は、上記実施例の可動椅子を椅子本体が使用位置で前向きとなった状態で示す側面図、図４は、上記実施例の可動椅子を椅子本体が移乗位置で前向きとなった状態で隣の椅子とともに示す正面図、図５は、上記実施例の可動椅子を椅子本体が移乗位置で前向きとなった状態で隣の椅子とともに示す平面図、図６は、上記実施例の可動椅子を椅子本体が移乗位置で前向きとなった状態で隣の椅子とともに示す側面図、図７は、上記実施例の可動椅子を椅子本体が移乗位置で第１の移乗用向き（斜め後ろ向き）となった状態で隣の椅子とともに示す平面図、そして図８は、上記実施例の可動椅子を椅子本体が移乗位置で第２の移乗用向き（真後ろ向き）となった状態で隣の椅子とともに示す平面図である。
【００１５】
また、図９は、上記実施例の可動椅子の椅子本体移動支持部を椅子本体を省略して示す平面図、図１０は、上記実施例の可動椅子の椅子本体回動支持部を椅子本体および椅子本体移動支持部を省略して示す断面図、図１１（ａ），（ｂ），（ｃ）および（ｄ）は、上記実施例の可動椅子の椅子本体回動支持部を示す、図１０中のＡ−Ａ線、Ｂ−Ｂ線、Ｃ−Ｃ線およびＤ−Ｄ線にそれぞれ沿う断面図、図１２は、上記実施例の可動椅子の回動位置ロック手部を椅子本体および椅子本体移動支持部を省略して示す平面図、そして図１３は、上記実施例の可動椅子を椅子本体が移乗位置で第１または第２の移乗用向きとなった状態で示す側面図であり、図中、符号１は上記実施例の可動椅子、２は連結椅子型の隣の椅子、３はその可動椅子１が設けられた床、４はその可動椅子１の後ろの床をそれぞれ示す。
【００１６】
この実施例の可動椅子１は、例えば劇場内に観覧席として設置し得る座起立型のもので、図１〜図３に示すように、椅子本体５と、床３のピット３ａ内に埋設固定されてその椅子本体５を支持するとともに後述の如く自動的に移動させる、椅子本体移動支持手段としての椅子本体移動支持部６と、その椅子本体移動支持部６に設けられて、椅子本体５を隣の椅子２と同じ方向へ向く前向き（図２参照）とその前向きから回動した第１および第２の移乗用向き（図７，８参照）との間で所定鉛直軸線周りに回動可能に支持する、椅子本体回動支持手段としての椅子本体回動支持部７と、その椅子本体回動支持部７に設けられて、椅子本体５の回動位置を上記前向きの位置と上記第１および第２の移乗用向きの位置とに解除可能に選択的にロックする、回動位置ロック手段としての回動位置ロック部８とを具えている。
【００１７】
ここで、椅子本体５は、各々鋼製の支持板を内蔵した左右の側板５ａと、それらの側板５ａに両側部を固定支持された背５ｂと、それらの側板５ａに後部を椅子の横方向へ延在する水平軸線周りに回動可能に支持されるとともに図示しないスプリングで起立方向へ常時回動附勢された座５ｃと、それらの側板５ａの上端部にそれぞれ固定された肘５ｄとを有していて、それら側板５ａと背５ｂと座５ｃと肘５ｄとは、座起立型の連結椅子である隣の椅子２（図では一脚のみ示す）と実質的に同一のデザインとされており、左右の側板５ａの下端部は、椅子本体回動支持部７の回動支持板７ａに固定支持されている。
【００１８】
なお、隣の連結椅子２の、図１では左側（椅子本体５に近い側）の側部には、図４に示すように、側板の代わりにそれと実質的に同じ支持機能を奏する鋼板２ａが設けられ、その一方、椅子本体５の、図１では右側（隣の椅子２に近い側）の側板５ａには、連結部材としてのフック５ｅが設けられており、椅子本体５が図１〜図３に示す使用位置にあるときは、その側板５ａは、鋼板２ａと隣接し、フック５ｅが鋼板２ａの上端部と掛合することで鋼板２ａと分離可能に連結されて隣の連結椅子２と共用の側板となる。
【００１９】
また、椅子本体移動支持部６は、図１，図４および図９に示すように、床３のピット３ａの底面に水平に固定された固定基板６ａと、その固定基板６ａの上方に水平に配置された移動基板６ｂと、各々下端部を固定基板６ａに枢支されるとともに上端部を移動基板６ｂのブラケット６ｃに枢支されて互いに平行な二つの四節平行リンク機構を構成する四本のリンク部材６ｄと、二つの四節平行リンク機構の各々の二本のリンク部材６ｄを連結する二本の略Ｓ字状の連結部材６ｅと、それらの連結部材６ｅ同士を連結するロッド６ｆと、二つの四節平行リンク機構の図９では左側の二本のリンク部材６ｄ同士を一体に結合する結合部材６ｇと、リンク部材６ｄの揺動により結合部材６ｇに当接してリンク部材６ｄの揺動を一定限度に規制する弾性部材６ｈと、ブラケット６ｃに当接してその下降を一定限度に規制する高さ調節可能なストッパボルト６ｉとを有している。
【００２０】
これにより、移動基板６ｂは、上記二つの四節平行リンク機構の四本のリンク部材６ｄの、固定基板６ａおよび移動基板６ｂに対する揺動によって、図１に示す床３の床面と一致するようにストッパボルト６ｉによって規定される下降位置と、その下降位置の斜め上方の、弾性部材６ｈによって規定される図４に示す上昇位置との間で斜め上下方向へ、水平移動しつつ昇降移動することができ、かかる移動基板６ｂの移動によって椅子本体５は、図１〜図３に示す使用位置と、図４〜図６に示す移乗位置との間で、水平移動しつつ昇降移動することができる。
【００２１】
椅子本体移動支持部６はさらに、各々シリンダロッド先端部をロッド６ｆにコ字状の連結部材６ｊを介して揺動可能に連結されるとともにシリンダ後端部を固定基板６ａに枢支されて互いに横並びに位置する四本の油圧シリンダ６ｋと、それらの油圧シリンダ６ｋに対する作動油の同時圧送と同時排出とを行なう油タンク付き双方向型電動ポンプ６ｌと、油圧シリンダ６ｋと電動ポンプ６ｌとの間の油圧回路に介装されて停電時や電動ポンプ６ｌの故障時などに油圧シリンダ６ｋ内の作動油をリザーバタンク６ｍ内に逃がして上記使用位置への椅子本体５の自重での降下を生じさせる非常用ドレンボルト６ｎとを有しており、電動ポンプ６ｌには、リミットスイッチ６ｏと、キーを差し込んで捻るとオンになって電源回路が接続されるキースイッチ６ｐと、昇降操作スイッチを持つリモートコントローラ６ｑとからの制御用コード６ｒおよび、商用電源を供給される電源コード６ｓが接続されている。
【００２２】
そしてリミットスイッチ６ｏは、椅子本体５が前向きの回動位置にあると、上記回動支持板７ａの下面に突設されたブラケット６ｔで作動レバーを押されてオンになって、椅子本体５がその前向きの回動位置にあることを検出し、椅子本体５を図５に示す前向きの回動位置から同図で時計方向に回動させると、ブラケット６ｔから離れてオフになるように配置されている。これにより、キースイッチ６ｐをオンにしてリモートコントローラ６ｑの昇降操作スイッチを操作すると、椅子本体５が前向きに位置している場合のみリミットスイッチ６ｏがオンになって電動ポンプ６ｌが作動し、椅子本体５は上記使用位置と上記移乗位置との間で自動的に、水平移動しつつ昇降移動する。従って、リミットスイッチ６ｏは、椅子本体５が前向き以外の向きに回動している場合には椅子本体５の水平移動および昇降移動を阻止するのでセイフティーロックとして機能し、椅子本体５を後述する第1または第２の移乗用向に回動させて椅子の利用者が車椅子と椅子本体５との間で移乗を行なっている間に椅子本体５が予期せず水平移動および昇降移動するのを防止することができる。
【００２３】
椅子本体回動支持部７は、図１０および図１１に示すように、上記回動支持板７ａと、下端部に設けられた角フランジ７ｂをここでは図示しない移動基板６ｂ上に固定された外スリーブ７ｃと、上端部に螺着された円盤状部７ｄを外スリーブ７ｃ内に螺着されてボルトで固定されるとともに中間部を外スリーブ７ｃ内にボルトで固定されて移動基板６ｂの孔内に挿通された底付きの内スリーブ７ｅと、その内スリーブ７ｅの底に設けられたスラスト支持ボール７ｆと、内スリーブ７ｅの上部および下部に半径方向内方へ向けて周方向に等間隔に三本ずつ設けられたボール入り止めネジ７ｇと、円盤状部７ｄの中心孔から内スリーブ７ｅ内に挿通された支持軸７ｈとを有している。
【００２４】
この支持軸７ｈは、内スリーブ７ｅの上部および下部の上記ボール入り止めネジ７ｇの先端部のボールで水平方向に関して位置決めされ、かつスラスト支持ボール７ｆで鉛直方向に関して位置決めされて鉛直軸線ＡＸ周りに回動可能に支持されるとともに、上端部に回動支持板７ａを補強リブ７ｉを介して溶接固定され、これにより椅子本体５は、椅子本体回動支持部７を介して鉛直軸線ＡＸ周りに回動可能に椅子本体移動支持部６の回動支持板７ａに支持されている。なお、支持軸７ｈは、その外周面に設けられた溝７ｊと掛合するボルト７ｋによって内スリーブ７ｅに対し抜け止めされている。
【００２５】
回動位置ロック部８は、図１，図４および図１０に示すように、椅子本体回動支持部７の円盤状部７ｄ上に固定された固定板８ａを有し、この固定板８ａの外周縁には、図１２に示すように、各々切り欠き状をなす第１の掛合部８ｂと第２の掛合部８ｃと第３の掛合部８ｄとが形成されている。また回動位置ロック部８は、回動支持板７ａの下面の、椅子本体５の着座者から見て例えば右下の一箇所に設けられた回転ロックピン８ｅ（図６では省略する）を有しており、この回転ロックピン８ｅは、鉛直軸線ＡＸを中心とした半径方向へ固定板８ａに対し進退移動可能に回動支持板７ａに支持されるとともに、鉛直軸線ＡＸと反対の側へ向く端部にノブ８ｆを持ち、図示しないスプリングで固定板８ａへ向けて常時附勢されている。なお、図１２は、回転ロックピン８ｅが第１の掛合部８ｂと掛合した状態の回動支持板７ａを実線で示すとともに、回転ロックピン８ｅが第２，第３の掛合部８ｃ，８ｄとそれぞれ掛合した状態の回動支持板７ａを仮想線で示している。
【００２６】
これにより、図５に示すように、回転ロックピン８ｅを第１の掛合部８ｂと掛合させた状態では、椅子本体５が前向きの回動位置にロックされ、回転ロックピン８ｅを手で引いてその掛合を外した後に椅子本体５を図５で時計方向に回動させて斜め後方へ向け、回転ロックピン８ｅを手放して第２の掛合部８ｃと掛合させると、図７に示すように、椅子本体５が斜め後ろ向きの回動位置である第１の移乗用向きにロックされ、さらに再度回転ロックピン８ｅを手で引いてその掛合を外した後に椅子本体５を図５で時計方向に回動させて後方へ向け、回転ロックピン８ｅを手放して第３の掛合部８ｄと掛合させると、図８に示すように、椅子本体５が真後ろ向きの回動位置である第２の移乗用向きにロックされ、その回動位置から再度回転ロックピン８ｅを手で引いてその掛合を外した後に椅子本体５を図５で反時計方向に回動させて前方へ向け、回転ロックピン８ｅを手放して第１の掛合部８ｂと掛合させると、椅子本体５が前向きの回動位置にロックされる。
【００２７】
この実施例の可動椅子１はさらに、図１〜図３に示すように、移動基板６ｂと外スリーブ７ｃの大部分とリミットスイッチ６ｏの本体とを覆うようにその移動基板６ｂに固定されて上記キースイッチ６ｐとリモートコントローラ６ｑ用のコネクタ６ｕとを図１では左側の側面に取付けられた蓋状のカバー９と、そのカバー９の側面のキースイッチ６ｐとコネクタ６ｕとの下にヒンジで一端部を揺動可能に支持されるとともに他端部を床３の床面と同一高さの後述する床パネル１５に摺動可能に支持されて床３のピット３ａの開口部を覆う塞ぎパネル１０と、そのカバー９の、図１では右側の側面に一端部を結合されるとともに、ピット３ａ内に枢支されたローラ１１に他端部側を巻き取られた塞ぎ布地１２とを具えている。
【００２８】
これにより、図４に示すように移動基板６ｂの移動に伴ってカバー９が斜め上方へ移動すると、塞ぎ布地１２がローラ１１から繰り出されて床３のピット３ａの開口部を覆い、その際にローラ１１の回転でそれと一体のプーリに巻き取られたワイヤ１３でスプリング１４が弾性的に引き伸ばされ、その一方、図１に示すように移動基板６ｂの移動に伴ってカバー９が斜め下方へ移動すると、スプリング１４の弾性力でワイヤ１３が引かれてプーリひいてはローラ１１を上記と逆に回転させて塞ぎ布地１２をローラ１１に巻き取らせ、塞ぎ布地１２でピット３ａの開口部を覆った状態を維持する。なお、ピット３ａの開口部のうち、カバー９と塞ぎパネル１０と塞ぎ布地１２とで覆われない部分は、取り外し可能な床パネル１５で覆われており、これにより、椅子本体５および隣の椅子２の前の床３上での、通常の観客の安全な歩行移動が可能となっている。
【００２９】
かかる実施例の可動椅子１にあっては、椅子の利用者が車椅子から移乗する際は、椅子本体移動支持部６が移動可能に支持する椅子本体５を、図４〜図６に示すように、リモートコントローラ６ｑでの操作に従いその椅子本体移動支持部６が、油圧シリンダ６ｋの作動による移動基板６ｂの斜め上方への移動によって自動的に隣の椅子２から離隔した移乗位置に移動させて、椅子本体５の回動時の隣の椅子２との干渉を回避し、次いで椅子本体回動支持部７が回動可能に支持する椅子本体５を人手で、回転ロックピン８ｅを引いたまま前向きから図７に示す第1の移乗用向きまたは図８に示す第２の移乗用向きまで鉛直軸線ＡＸ周りに回動させて、図１３に示すように車椅子Ｗに向け、回転ロックピン８ｅを手放してその向きでロックする。そして車椅子Ｗから椅子本体５に利用者Ｕが移乗したら、上記とは逆の手順で、回転ロックピン８ｅを引いたまま人手で椅子本体５を隣の椅子２と同じ方向へ向く前向きまで回動させ、回転ロックピン８ｅを手放してその向きでロックする。次いでリモートコントローラ６ｑでの操作に従い椅子本体移動支持部６が、油圧シリンダ６ｋの作動による移動基板６ｂの斜め下方への移動によって自動的にその椅子本体５を隣の椅子２に隣接した図１〜図３に示す使用位置に移動させる。また、椅子の利用者Ｕが椅子本体５から車椅子Ｗへ移乗する際は、上記と同様にして、椅子本体５を移乗位置に移動させるとともに回動させて車椅子Ｗに向け、椅子本体５から車椅子Ｗに利用者Ｕが移乗したら、椅子本体５を隣の椅子２と同じ方向へ向く前向きまで回動させ、次いでその椅子本体５を隣の椅子２に隣接した使用位置に移動させる。
【００３０】
従って、この実施例の可動椅子１によれば、車椅子Ｗとの間での移乗時は椅子本体５を車椅子Ｗに向けられるので、椅子１の利用者Ｕが容易に移乗することができ、そして車椅子Ｗから移乗した利用者Ｕの着座中は、床３に固定された椅子本体移動支持部６およびそこに設けられた椅子本体回動支持部７が椅子本体５を強固に支持するので、座５ｃと背５ｂと肘５ｄとを有する椅子本体５で椅子１の利用者Ｕに着座中他の通常の椅子と同様の快適な座り心地を提供し、しかもその椅子本体５を安定させて、椅子１の利用者Ｕに障害がある場合などでもその利用者Ｕを椅子本体５で安全に保持することができ、また車椅子Ｗの利用者がいない通常時は、椅子本体５が隣の椅子２に隣接した使用位置に位置しているので、通常の観客が他の通常の椅子と同様に快適に利用することができる。
【００３１】
しかもこの実施例の可動椅子１によれば、椅子本体移動支持部６が四節平行リンク機構を油圧シリンダ６ｋで揺動させることで、椅子本体５を移乗位置と使用位置との間で自動的に水平移動および垂直移動させるので、床が傾斜していたり階段状になっていたりして、椅子の後方の床４が椅子の前方の床３より高くなっている場合でも、図１３に示すように、その後方の床４上から寄せた車椅子Ｗと椅子本体５との高さを合わせ得て、椅子の利用者Ｕがその車椅子Ｗと椅子本体５との間で容易に移乗することができる。
【００３２】
また、この実施例の可動椅子１によれば、椅子本体移動支持部６が、椅子本体５を移乗位置と使用位置との間で水平移動させつつ垂直移動させる四節平行リンク機構を有しているので、簡易な構成で容易に、椅子本体５を移乗位置と使用位置との間で自動的に水平移動および垂直移動させることができる。
【００３３】
さらにこの実施例の可動椅子１によれば、椅子本体移動支持部６が、複数本横並びに配置されて四節平行リンク機構を同時に駆動する四本の油圧シリンダ６ｋを有していることから、平行リンク機構を駆動する油圧シリンダ６ｋを、一本ずつについては細くし得るとともに、油圧シリンダ６ｋに油圧を供給する電動ポンプ６ｌと分けて配置できるので、動力源となる油圧シリンダ６ｋおよび電動ポンプ６ｌを椅子本体５の下の少ないスペースに容易に収納することができる。
【００３４】
さらにこの実施例の可動椅子１によれば、椅子本体回動支持部７が、椅子本体５の回動位置を前向きと第１および第２の移乗用向きとに解除可能に選択的にロックする回動位置ロック部８を有していることから、車椅子Ｗとの間での移乗時は椅子本体５を車椅子Ｗに向けてロックできるので、移乗をより容易にすることができ、また着座時は椅子本体５を隣の椅子２と同じ前方に向けてロックできるので、椅子本体５をより安定させることができる。
【００３５】
さらにこの実施例の可動椅子１によれば、椅子本体５が、その椅子本体５を使用位置で前向きに位置する状態で隣の連結椅子２に分離可能に連結するフック５ｅを具えているので、椅子本体５が使用位置で前向きに位置する際に、椅子本体５をより安定させることができる。
【００３６】
以上、図示例に基づき説明したが、本発明は上述の実施例に限定されるものでなく特許請求の範囲の記載範囲内で適宜変更することができ、例えば、椅子本体回動支持部７も減速機付きモータにより椅子本体を自動的に回動させるものでも良く、回動位置ロック部８もソレノイドなどによって電動でロックおよび解除を行なっても良い。また逆に、椅子本体移動支持部６が椅子本体５の移動をレールなどで案内し、椅子本体５を人手で移動させるようにしても良く、その場合の椅子本体５の移動は、例えば後ろ側の床４も前側の床３と同じ高さの場合は水平移動のみとし、椅子本体５を使用位置と移乗位置とに対し選択的に、解除可能に床にロックする、回動位置ロック部８のロックピン８ｂと同様の構成を具えていても良い。そして椅子本体５は、例えばバケットシートのような、肘５ｄのない椅子形状のものでも良い。
【産業上の利用可能性】
【００３７】
かくして本発明の可動椅子によれば、車椅子との間での移乗時は椅子本体を車椅子に向けられるので、椅子の利用者が容易に移乗することができ、そして車椅子から移乗した利用者の着座中は、床に固定された椅子本体移動支持手段およびそこに設けられた椅子本体回動支持手段が椅子本体を強固に支持するので、少なくとも座および背を有する椅子本体で椅子の利用者に着座中他の通常の椅子と同様の快適な座り心地を提供し、しかもその椅子本体を安定させて、椅子の利用者に障害がある場合などでもその利用者を椅子本体で安全に保持することができ、また車椅子の利用者がいない通常時は、椅子本体が隣の椅子に隣接した使用位置に位置しているので、通常の観客が他の通常の椅子と同様に快適に利用することができる。なお、本発明の可動椅子は、車椅子は利用しないが体が多少不自由な人が着座および離座する際にそれを補助するためなどにも用いることができる。
【図面の簡単な説明】
【００３８】
【図１】本発明の可動椅子の一実施例を椅子本体が使用位置で前向きとなった状態で隣の椅子とともに示す正面図である。
【図２】上記実施例の可動椅子を椅子本体が使用位置で前向きとなった状態で隣の椅子とともに示す平面図である。
【図３】上記実施例の可動椅子を椅子本体が使用位置で前向きとなった状態で示す側面図である。
【図４】上記実施例の可動椅子を椅子本体が移乗位置で前向きとなった状態で隣の椅子とともに示す正面図である。
【図５】上記実施例の可動椅子を椅子本体が移乗位置で前向きとなった状態で隣の椅子とともに示す平面図である。
【図６】上記実施例の可動椅子を椅子本体が移乗位置で前向きとなった状態で隣の椅子とともに示す側面図である。
【図７】上記実施例の可動椅子を椅子本体が移乗位置で第１の移乗用向き（斜め後ろ向き）となった状態で隣の椅子とともに示す平面図である。
【図８】上記実施例の可動椅子を椅子本体が移乗位置で第２の移乗用向き（真後ろ向き）となった状態で隣の椅子とともに示す平面図である。
【図９】上記実施例の可動椅子の椅子本体移動支持部を椅子本体を省略して示す平面図である。
【図１０】上記実施例の可動椅子の椅子本体回動支持部を椅子本体および椅子本体移動支持部を省略して示す断面図である。
【図１１】（ａ），（ｂ），（ｃ）および（ｄ）は、上記実施例の可動椅子の椅子本体回動支持部を示す、図１０中のＡ−Ａ線、Ｂ−Ｂ線、Ｃ−Ｃ線およびＤ−Ｄ線にそれぞれ沿う断面図である。
【図１２】上記実施例の可動椅子の回動位置ロック手部を椅子本体および椅子本体移動支持部を省略して示す平面図である。
【図１３】上記実施例の可動椅子を椅子本体が移乗位置で第１または第２の移乗用向きとなった状態で示す側面図である。
【符号の説明】
【００３９】
１  可動椅子
２  隣の椅子
２ａ  鋼板
３，４  床
３ａ  ピット
５  椅子本体
５ａ  側板
５ｂ  背
５ｃ  座
５ｄ  肘
５ｅ  連結部材（フック）
６  椅子本体移動支持手段（椅子本体移動支持部）
６ａ  固定基板
６ｂ  移動基板
６ｃ，６ｔ  ブラケット
６ｄ  リンク部材
６ｅ，６ｊ  連結部材
６ｆ  ロッド
６ｇ  結合部材
６ｈ  弾性部材
６ｉ  ストッパボルト
６ｋ  油圧シリンダ
６ｌ  電動ポンプ
６ｍ  リザーバタンク
６ｎ  非常用ドレンボルト
６ｏ  リミットスイッチ
６ｐ  キースイッチ
６ｑ  リモートコントローラ
６ｒ  制御用コード
６ｓ  電源コード
６ｕ  コネクタ
７  椅子本体回動支持手段（椅子本体回動支持部）
７ａ  回動支持板
７ｂ  角フランジ
７ｃ  外スリーブ
７ｄ  円盤状部
７ｅ  内スリーブ
７ｆ  スラスト支持ボール
７ｇ  ボール入り止めネジ
７ｈ  支持軸
７ｉ  補強リブ
７ｊ  溝
７ｋ  ボルト
８  回動位置ロック手段（回動位置ロック部）
８ａ  固定板
８ｂ  第１の掛合部
８ｃ  第２の掛合部
８ｄ  第３の掛合部
８ｅ  回転ロックピン
８ｆ  ノブ
９  カバー
１０  塞ぎパネル
１１  ローラ
１２  塞ぎ布地
１３  ワイヤ
１４  スプリング
１５  床パネル
ＡＸ  鉛直軸線
Ｕ  利用者
Ｗ  車椅子
【図１】
0004699431.tif 000002
【図２】
0004699431.tif 000003
【図３】
0004699431.tif 000004
【図４】
0004699431.tif 000005
【図５】
0004699431.tif 000006
【図６】
0004699431.tif 000007
【図７】
0004699431.tif 000008
【図８】
0004699431.tif 000009
【図９】
0004699431.tif 000010
【図１０】
0004699431.tif 000011
【図１１】
0004699431.tif 000012
【図１２】
0004699431.tif 000013
【図１３】
0004699431.tif 000014